(57)【要約】 【課題】  音波のエネルギを減衰することなく一般家庭での使用に適するように小型化，簡素化する。【解決手段】  ヨークを兼用した薄箱形のハウジング１１の内部に振動膜等が収容された１対の平板形スピーカ１と、各平板形スピーカ１の外側にそれぞれ被覆された非遮音性のカバー２と、両カバー２を一定の間隔を介して角度調整可能に連結する柔軟性を有した連結体３とからなる。【選択図】        図１
2005269279.tif 000002
【特許請求の範囲】
【請求項１】
ヨークを兼用した薄箱形のハウジングの内部に振動膜等が収容された１対の平板形スピーカと、各平板形スピーカの外側にそれぞれ被覆された非遮音性のカバーと、両カバーを一定の間隔を介して角度調整可能に連結する柔軟性を有した連結体とからなるスピーカシステム。
【請求項２】
請求項１のスピーカシステムにおいて、カバーと連結体とは着脱可能であることを特徴とするスピーカシステム。
【請求項３】
請求項１または２のスピーカシステムにおいて、カバーの角度を保持する保持手段を備えていることを特徴とするスピーカシステム。
【請求項４】
請求項１〜３のいずれかのスピーカシステムにおいて、カバーと平板形スピーカとの間にクッション材が積層されていることを特徴とするスピーカシステム。
【発明の詳細な説明】
【技術分野】
【０００１】
本発明は、身体の各部に音波を放射することで身体を活性化させるためのスピーカシステムに係る技術分野に属する。
【背景技術】
【０００２】
最近、音波の身体への放射が血行，ホルモン分泌等を促進して身体を活性化させることが明らかにされ、大規模で複雑な音波放射装置が開発されてきている。然しながら、一般家庭での使用に適した小型，簡素な音波放射装置（スピーカシステム）については、未だ有用性のあるものが開発されていない状況にある。
【０００３】
従来、一般家庭での使用に適した小型，簡素なスピーカシステムとしては、例えば、以下に記載のものが知られている。
【特許文献１】特開平８−４７４４３号公報  特許文献１には、枕の内部に１対のスピーカを内蔵してなるスピーカシステムが記載されている。
【０００４】
特許文献１に係るスピーカシステムは、スピーカから放射された音波を耳で受けて聴覚により音波として発信される情報の内容を把握させるものである。
【発明の開示】
【発明が解決しようとする課題】
【０００５】
特許文献１に係るスピーカシステムでは、通常、スピーカがコーン形，ドーム形の振動膜（振動板）を備え本質的にある程度の容積を必要とする構造であるため、枕への内臓に際してスピーカの容積が小型化されることで、身体を活性化させる程の音波のエネルギが放射されなくなるという問題点がある。
【０００６】
本発明は、このような問題点を考慮してなされたもので、音波のエネルギを減衰することなく一般家庭での使用に適するように小型化，簡素化されたスピーカシステムを提供することを課題とする。
【課題を解決するための手段】
【０００７】
前述の課題を解決するため、本発明に係るスピーカシステムは、特許請求の範囲の各請求項に記載の手段を採用する。
【０００８】
即ち、請求項１では、ヨークを兼用した薄箱形のハウジングの内部に振動膜等が収容された１対の平板形スピーカと、各平板形スピーカの外側にそれぞれ被覆された非遮音性のカバーと、両カバーを一定の間隔を介して角度調整可能に連結する柔軟性を有した連結体とからなる。
【０００９】
この手段では、平板形スピーカの使用で大型化，複雑化を避けるとともに、平板形スピーカで平面状の振動膜の全面から駆動力を発生させ鋭い指向性をもった平面波からなる音波を大きなエネルギで放射する。
【００１０】
また、請求項２では、請求項１のスピーカシステムにおいて、カバーと連結体とは着脱可能であることを特徴とする。
【００１１】
この手段では、１対のスピーカとしての配置が使用目的，使用部位に対応して変更される。
【００１２】
また、請求項３では、請求項２のスピーカシステムにおいて、連結体は大きさの異なる複数枚が交換用として備えられていることを特徴とする。
【００１３】
この手段では、使用目的，使用部位に対応して全体の大きさが変更される。
【００１４】
請求項１〜３のいずれかのスピーカシステムにおいて、カバーの角度を保持する角度保持手段を備えていることを特徴とする。
【００１５】
この手段では、音波の照射方向が角度保持手段で固定される。
【００１６】
また、請求項４では、カバーと平板形スピーカとの間にクッション材が積層されていることを特徴とする。
【００１７】
この手段では、平板形スピーカがクッション材で緩衝保護される。
【発明の効果】
【００１８】
本発明に係るスピーカシステムは、平板形スピーカの使用で大型化，複雑化を避けるとともに、平板形スピーカで平面状の振動膜の全面から駆動力を発生させ鋭い指向性をもった平面波からなる音波を大きなエネルギで放射するため、音波のエネルギを減衰することなく一般家庭での使用に適するように小型化，簡素化される効果がある。
【発明を実施するための最良の形態】
【００１９】
以下、本発明に係るスピーカシステムを実施するための最良の形態を図面に基づいて説明する。
【００２０】
図１〜図８は、本発明に係るスピーカシステムを実施するための最良の形態の第１例を示すものである。
【００２１】
第１例は、平板形スピーカ１，カバー２，連結体３を主要部として構成されている。
【００２２】
平板形スピーカ１は、図２に詳細に示されるように、ヨークを兼用した薄箱形のハウジング１１の内部にゴム材等のエッジ１２を介して平面状の振動膜１３が張設されるように収容されている。ハウジング１１には、マグネットが固定配置されるとともに、全面に排気用貫通孔１４が設けられている。振動膜１３には、コイルが固定配置されている。ハウジング１１，振動膜１３の間には、緩衝材１５が収容されている。この平板形スピーカ１は、コード１６を介して左右１対に接続される。コード１６は、カバーに取付けられ音源部（図示せず）からのソケット等が接続されるコネクタ１７に配線接続されている。この平板形スピーカ１については、例えば、特許第３１９２３７２号公報に記載のものが選択される。
【００２３】
カバー２は、平板形スピーカ１の外側にそれぞれ被覆された非遮音性のシート材（レザー，合成樹脂シート，不織布等）からなる。このカバー２の一方の面（表面）には、通音孔２１が規則的配列で開口されている。また、このカバー２の１つの隅部には、紐からなる角度保持手段４が挿通される紐通孔２２が表裏両面に貫通形成されている。角平板形スピーカ１，カバー２の間には、発泡性樹脂材等からなる非遮音性のクッション材５が積層されている。クッション材５は、平板形スピーカ１を緩衝保護する。
【００２４】
連結体３は、発泡性樹脂材等のクッション材であるクッション部３１をシート材（レザー，合成樹脂シート，不織布等）であるカバー部３２で覆った柔軟性のあるマットからなる。この連結体３は、両カバー２（平板形スピーカ１）を柔軟性によって角度調整可能に連結している。この連結体３のカバー２と接しない１つ片には、円弧形の湾曲部３３が形成されている。なお、この連結体３の内部には、平板形スピーカ１のコード１６が配線されている。
【００２５】
さらに、カバー２，連結体３の裏面には、使用の際の位置ずれを防止するためのシート状の滑止６が取付けられている。
【００２６】
第１例によると、扁平な平板形スピーカ１が使用されているため、全体の大型化，複雑化が避けられる。そして、平板形スピーカ１の特性として、平面状の振動膜１３の全面から駆動力を発生させ鋭い指向性をもった平面波からなる音波を大きなエネルギで放射することから、身体の各部に音波を放射することで身体を活性化させることができる。勿論、放射された音波を耳で受けて聴覚により音波として発信される情報の内容を把握させることもできる。
【００２７】
図４には、第１例の１つの使用例が示されている。この使用例では、図４（Ａ）に示すように、床面Ｆに仰向けに寝た人Ｍの頭部の下に連結体３を敷き両カバー２（平板形スピーカ１）を頭部の側方へ起立させ角度保持手段４で起立角度を保持させることで、人Ｍの頭部へ音波を放射している。また、図４（Ｂ）に示すように、床面Ｆ，人Ｍの頭部の間に枕Ｐを介在させた場合に、枕Ｐに対する人Ｍの頭部の沈込みに連結体３の柔軟性を追従させて湾曲Ｓを形成している。
【００２８】
図５には、第１例の他の使用例が示されている。この使用例では、図４（Ａ），（Ｂ）の角度保持手段４に代えてコーナブロック，クッション等の介助物Ｇを使用することで、両カバー２（平板形スピーカ１）の起立角度を保持している。
【００２９】
図６には、第１例の他の使用例が示されている。この使用例では、図４（Ａ），（Ｂ）の角度保持手段４や図５（Ａ），（Ｂ）の介助物Ｇを使用しない場合が示されている。この使用例によると、人Ｍの頭部への音波を放射角度が浅くなるが、平板形スピーカ１からの音波のエネルギが大きいため、かなりの身体の活性化機能が期待される。
【００３０】
図７には、第１例の他の使用例が示されている。この使用例では、羽毛、羊毛等の柔らかい素材を用いた横に長い枕Ｐ’の上面に、連結体３を介して連結された対のカバー２（平板型スピーカ１）が設置されている場合が示されている。この際、連結体３は人Ｍの頭部が置かれる枕Ｐ’の中央部に、カバー２は枕Ｐ’の左右側に位置している。この使用例によると、人Ｍの頭部の、枕Ｐ’の中央部への沈み込みに連結体３の柔軟性を追従させて湾曲Ｓを形成している。また、その沈み込みにより形成される枕Ｐ’の中央部から縁部にかけての傾斜により、平板形スピーカ１の起立角度を保持している。
【００３１】
図８には、第１例の他の使用例が示されている。この使用例では、図８（Ａ）に示すように、起立した人Ｍの肩にカバー２（平板形スピーカ１）を載せ角度保持手段４で角度を保持させることで、人Ｍの頭部へ音波を放射している。この使用例によると、連結体３の湾曲部３３で肩周りの湾曲部分を避けることができて、違和感が感じさせることなく確実に装着使用することができる。また、図８（Ｂ）に示すように、人Ｍの腰部へ音波を放射することもできる。この使用例によると、連結体３の湾曲部３３で腰周りの湾曲部分を避けることができて、違和感が感じさせることなく確実に装着使用することができる。また、図８（Ｃ）に示すように、人Ｍの腕部へ音波を放射することもできる。この使用例によると、連結体３の湾曲部３３で腕の付根や肘周りの湾曲部分を避けることができて、違和感が感じさせることなく確実に装着使用することができる。また、図８（Ｄ）に示すように、人Ｍの足部へ音波を放射することもできる。この使用例によると、連結体３の湾曲部３３で足の付根や膝周りの湾曲部分を避けることができて、違和感が感じさせることなく確実に装着使用することができる。
【００３２】
図９には、第１例の他の使用例が示されている。この使用例では、図９（Ａ）に示すように、角度保持手段４を使用せずに床面Ｆにカバー２（平板形スピーカ１），連結体３を展開して敷き、カバー２（平板形スピーカ１）に起立した人Ｍの足裏を当接させて（踏ませて）、人Ｍの足裏へ音波を放射している。この使用例によると、ツボの集中している人Ｍの足裏を刺激して身体をより顕著に活性化させることができる。また、図９（Ｂ）に示すように、角度保持手段４を使用せずに床面Ｆに仰向けに寝た人Ｍの臀部，要部の下に連結部３を敷いて両側にカバー２（平板形スピーカ１）を展開させ、人Ｍの手へ音波を放射している。この使用例によると、ツボの集中している人Ｍの手を刺激して身体をより顕著に活性化させることができる。また、角度保持手段４を使用せずに床面Ｆに仰向けに寝た人Ｍの頭部の周囲にカバー２（平板形スピーカ１），連結体３を角度を設けて自立させ、人Ｍの頭部へ音波を放射している。
【００３３】
図１０，図１１は、本発明に係るスピーカシステムを実施するための最良の形態の第２例を示すものである。
【００３４】
第２例では、カバー２，連結体３の間にファスナ７を取付けて、カバー２，連結体３を着脱可能にしている。また、平板形スピーカ１のコード１６を連結体３から取出し可能にするために、連結体３にベルベットファスナ３４付き袋部３５を形成して平板形スピーカ１のコード１６を収容配線してある。
【００３５】
第２例によると、連結体３を取外したカバー２（平板形スピーカ１）を衣類のポケットや履物に収納して使用することができる。
【００３６】
図１２は、本発明に係るスピーカシステムを実施するための最良の形態の第３例を示すものである。
【００３７】
第３例では、前述の第２例における着脱可能な連結体３の大きさａ，ｂ，ｃを異ならせたものを複数枚用意してある。
【００３８】
第３例によると、例えば前述の第１例の図８，図９の使用例に対応して好適な大きさの連結体３を選択することができる。
【００３９】
図１３は、本発明に係るスピーカシステムを実施するための最良の形態の第４例を示すものである。
【００４０】
第４例では、連結体３の湾曲部３３の反対側の辺の近くに支持用孔３６が貫通形成されている。
【００４１】
第４例によると、支持用孔３６に吊紐を挿通する等して、全体を吊持ち使用することができる。
【００４２】
以上、図示した各例の外に、連結体３をベルト形にすることも可能である。
【００４３】
さらに、角度保持手段４としてカバー２，連結体３の間にストッパ付きのヒンジを設けることも可能である。
【図面の簡単な説明】
【００４４】
【図１】本発明に係るスピーカシステムを実施するための最良の形態の第１例の正面図である。
【図２】図１の要部の背面図である。
【図３】図１の要部の拡大横断面図である。
【図４】第１例の使用状態図である。
【図５】第１例の他の使用状態図である。
【図６】第１例の他の使用状態図である。
【図７】第１例の他の使用状態図である。
【図８】第１例の他の使用状態図である。
【図９】第１例の他の使用状態図である。
【図１０】本発明に係るスピーカシステムを実施するための最良の形態の第２例の正面図である。
【図１１】図１０の分離状態図である。
【図１２】本発明に係るスピーカシステムを実施するための最良の形態の第３例の要部の正面図である。
【図１３】本発明に係るスピーカシステムを実施するための最良の形態の第４例の要部の正面図である。
【符号の説明】
【００４５】
１            平板形スピーカ
１１          ハウジング
１３          振動膜
２            カバー
３            連結体
４            角度保持手段
５            クッション材
【図１】
2005269279.tif 000003
【図２】
2005269279.tif 000004
【図３】
2005269279.tif 000005
【図４】
2005269279.tif 000006
【図５】
2005269279.tif 000007
【図６】
2005269279.tif 000008
【図７】
2005269279.tif 000009
【図８】
2005269279.tif 000010
【図９】
2005269279.tif 000011
【図１０】
2005269279.tif 000012
【図１１】
2005269279.tif 000013
【図１２】
2005269279.tif 000014
【図１３】
2005269279.tif 000015